(57)【特許請求の範囲】
【請求項１】
画像を表示する表示部及び前記表示部への物体の接触又は接近に応じた信号を出力する出力部を有するタッチパネルと、
制御部とを備え、
前記制御部は、
前記表示部上の第１方向にスクロール可能な画像であるスクロール画像及び前記第１方向にスクロールできない画像である非スクロール画像を前記表示部に表示させるように前記表示部を制御するスクロール画像表示処理と、
前記表示部に前記スクロール画像及び前記非スクロール画像が表示されている場合に、前記表示部上における一部の領域を特定領域に設定する特定領域設定処理と、
前記表示部の前記スクロール画像上で前記特定領域に含まれない領域を物体がスワイプする第１スワイプ動作における物体の前記第１方向の移動量に対する前記スクロール画像の前記第１方向へのスクロール量に比べて、前記特定領域を物体がスワイプする第２スワイプ動作における物体の前記第１方向の移動量に対する前記スクロール画像の前記第１方向のスクロール量が大きくなるように前記表示部を制御する第１スクロール処理とを実行する、携帯端末であって、
前記タッチパネルに対して前記第１方向の外側で、かつ、前記携帯端末の側面に配設され、物体が接触しているか否かに応じた信号を出力する側面出力部をさらに備え、
前記制御部は、
前記表示部に前記スクロール画像及び前記非スクロール画像が表示されている場合であって、前記側面出力部から出力される信号に基づいて、前記側面出力部に物体が接触していないと判断した場合に、前記特定領域設定処理を実行する、携帯端末。
【請求項２】
画像を表示する表示部及び前記表示部への物体の接触又は接近に応じた信号を出力する出力部を有するタッチパネルと、
制御部とを備え、
前記制御部は、
前記表示部上の第１方向にスクロール可能な画像であるスクロール画像及び前記第１方向にスクロールできない画像である非スクロール画像を前記表示部に表示させるように前記表示部を制御するスクロール画像表示処理と、
前記表示部に前記スクロール画像及び前記非スクロール画像が表示されている場合に、前記表示部上における一部の領域を特定領域に設定する特定領域設定処理と、
前記表示部の前記スクロール画像上で前記特定領域に含まれない領域を物体がスワイプする第１スワイプ動作における物体の前記第１方向の移動量に対する前記スクロール画像の前記第１方向へのスクロール量に比べて、前記特定領域を物体がスワイプする第２スワイプ動作における物体の前記第１方向の移動量に対する前記スクロール画像の前記第１方向のスクロール量が大きくなるように前記表示部を制御する第１スクロール処理とを実行し、
前記出力部から出力される信号に基づいて、前記表示部上の領域を物体が前記第１方向と直交する第２方向にスワイプするスワイプ動作を検知した場合において、前記特定領域を設定していない場合には、前記表示部に表示されている画像の全体を前記第２方向にスクロールさせ、前記特定領域を設定している場合には、当該第２方向へのスクロールを禁止するように前記表示部を制御する、携帯端末。
【請求項３】
画像を表示する表示部及び前記表示部への物体の接触又は接近に応じた信号を出力する出力部を有するタッチパネルと、
制御部とを備え、
前記制御部は、
前記表示部上の第１方向にスクロール可能な画像であるスクロール画像及び前記第１方向にスクロールできない画像である非スクロール画像を前記表示部に表示させるように前記表示部を制御するスクロール画像表示処理と、
前記表示部に前記スクロール画像及び前記非スクロール画像が表示されている場合に、前記表示部上における一部の領域を特定領域に設定する特定領域設定処理と、
前記表示部の前記スクロール画像上で前記特定領域に含まれない領域を物体がスワイプする第１スワイプ動作における物体の前記第１方向の移動量に対する前記スクロール画像の前記第１方向へのスクロール量に比べて、前記特定領域を物体がスワイプする第２スワイプ動作における物体の前記第１方向の移動量に対する前記スクロール画像の前記第１方向のスクロール量が大きくなるように前記表示部を制御する第１スクロール処理とを実行し、
前記特定領域は、前記表示部における前記第１方向の両側端部に設定される、携帯端末。
【請求項４】
画像を表示する表示部及び前記表示部への物体の接触又は接近に応じた信号を出力する出力部を有するタッチパネルと、
制御部とを備え、
前記制御部は、
前記表示部上の第１方向にスクロール可能な画像であるスクロール画像及び前記第１方向にスクロールできない画像である非スクロール画像を前記表示部に表示させるように前記表示部を制御するスクロール画像表示処理と、
前記表示部に前記スクロール画像及び前記非スクロール画像が表示されている場合に、前記表示部上における一部の領域を特定領域に設定する特定領域設定処理と、
前記表示部の前記スクロール画像上で前記特定領域に含まれない領域を物体がスワイプする第１スワイプ動作における物体の前記第１方向の移動量に対する前記スクロール画像の前記第１方向へのスクロール量に比べて、前記特定領域を物体がスワイプする第２スワイプ動作における物体の前記第１方向の移動量に対する前記スクロール画像の前記第１方向のスクロール量が大きくなるように前記表示部を制御する第１スクロール処理とを実行する、携帯端末であって、
前記携帯端末は、
前記第１方向の寸法が前記第１方向に直交する第２方向の寸法よりも小さく形成され、
前記第１方向の側面に配設され、物体が接触しているか否かに応じた信号を出力する側面出力部をさらに備え、
前記携帯端末には、前記第２方向に上下が規定されており、
前記制御部は、
前記特定領域設定処理において、前記側面出力部から出力される信号に基づいて、物体が前記携帯端末の前記第１方向の前記側面における上端から所定長さの部分を除く部分に接触している物体のうちで最も上端側に接触している物体の位置を判断し、当該位置と前記第１方向に隣り合う位置を少なくとも含む領域を前記特定領域に設定する、携帯端末。
【発明の詳細な説明】
【技術分野】
【０００１】
本発明は、携帯端末に関する。
【背景技術】
【０００２】
近年、スマートフォンやタブレットなど、タッチパネルを搭載した携帯端末が普及している。タッチパネルを搭載した携帯端末では、タッチパネルの表示部（例えば、液晶ディスプレイにおける画像が表示される外表面部分など）へのタッチ操作（指などで触れる操作）等により、直感的な入力を行うことができる。
【０００３】
タッチパネルの表示部の物理的な大きさがこの表示部に表示される画像に対して小さい場合、当該画像を横方向または縦方向に移動させて表示する手法、いわゆるスクロール表示が採用される。スクロール表示の対象となる画像であるスクロール画像上において、指などの物体が表示部に触れたままで移動（スワイプ操作）等することにより、スクロール画像がその移動方向に移動（スクロール）される。
【０００４】
スマートフォンなどの小型の携帯端末では、ユーザにより、携帯端末が片手で持たれて、その片手の親指でタッチ操作等が行われることがある。この片手持ちでのタッチ操作等では、親指の可動範囲が制限される。そのため、スクロール画像上での親指の移動が制限され、ユーザが思うように画像をスクロールさせることができない場合がある。
【０００５】
携帯端末の片手持ちでのタッチ操作を容易にするため、たとえば、タッチパネルの表示部外に複数のタッチセンサを配置した操作部を設ける構成が提案されている（たとえば、特許文献１参照）。しかしながら、そのような操作部を設けることは、携帯端末のサイズが大型化するという、携帯端末にとって大きなデメリットを生じさせるので、それを避けたい実情がある。
【先行技術文献】
【特許文献】
【０００６】
【特許文献１】特開２００７−４１７２４号公報
【発明の概要】
【発明が解決しようとする課題】
【０００７】
本発明の目的は、タッチ操作等が制限される場合であっても、表示部に表示される画像を良好にスクロールさせることができる、携帯端末を提供することである。
【課題を解決するための手段】
【０００８】
前記の目的を達成するため、本発明の一の局面に係る携帯端末は、画像を表示する表示部及び表示部への物体の接触又は接近に応じた信号を出力する出力部を有するタッチパネルと、制御部とを備え、制御部は、表示部上の第１方向にスクロール可能な画像であるスクロール画像及び第１方向にスクロールできない画像である非スクロール画像を表示部に表示させるように表示部を制御するスクロール画像表示処理と、表示部に前記スクロール画像及び非スクロール画像が表示されている場合に、表示部上における一部の領域を特定領域に設定する特定領域設定処理と、表示部のスクロール画像上で特定領域に含まれない領域を物体がスワイプする第１スワイプ動作における物体の第１方向の移動量に対するスクロール画像の第１方向へのスクロール量に比べて、特定領域を物体がスワイプする第２スワイプ動作における物体の第１方向の移動量に対するスクロール画像の第１方向のスクロール量が大きくなるように表示部を制御する第１スクロール処理とを実行する。
【０００９】
この構成によれば、タッチパネルの表示部にスクロール画像が表示されている場合に、表示部上における一部の領域が特定領域に設定される。そして、特定領域を物体がスワイプする第２スワイプ動作が行われた場合に、特定領域に含まれない領域を物体がスワイプする第１スワイプ動作における物体の第１方向の移動量よりも第２スワイプ動作における物体の第１方向の移動量の方が大きいスクロール量で、スクロール画像がスクロールされる。そのため、携帯端末のタッチ操作が制限される場合であっても、特定領域において画像を良好にスクロールさせることができる。
【００１０】
本発明の他の局面に係る携帯端末は、画像を表示する表示部及び表示部への物体の接触又は接近に応じた信号を出力する出力部を有するタッチパネルと、制御部とを備え、制御部は、表示部上の第１方向にスクロール可能な画像であるスクロール画像及び第１方向にスクロールできない画像である非スクロール画像を表示部に表示させるように表示部を制御するスクロール画像表示処理と、表示部にスクロール画面及び非スクロール画像が表示されている場合に、表示部上における一部の領域を特定領域に設定する特定領域設定処理と、特定領域を物体が第１方向と直交する第２方向にスワイプする第２方向スワイプ動作によって、スクロール画像を第１方向にスクロールさせるように表示部を制御する第２スクロール処理とを実行する。
【００１１】
この構成によれば、タッチパネルの表示部にスクロール画像が表示されている場合に、表示部上における一部の領域が特定領域に設定される。そして、特定領域を物体が第２方向にスワイプする第２スワイプ動作が行われた場合に、その第２方向の第２スワイプ動作における物体の第２方向の移動量に応じたスクロール量で、スクロール画像が第１方向にスクロールされる。そのため、携帯端末のタッチ操作が第１方向に制限される場合であっても、特定領域において画像を良好にスクロールさせることができる。
【００１２】
なお、本発明は、携帯端末の形態で実現することができるだけでなく、たとえば、携帯端末の制御方法として、また、携帯端末のコンピュータにインストールされるプログラムの形態で実現することもできる。
【発明の効果】
【００１３】
本発明によれば、携帯端末において、タッチ操作等が制限される場合であっても、表示部に表示される画像を良好にスクロールさせることができる。
【図面の簡単な説明】
【００１４】
【図１】本発明の一実施形態に係る携帯端末を示す概念図である。
【図２】携帯端末の電気的構成を示すブロック図である。
【図３】タッチパネル制御処理の流れを示すフローチャートである。
【図４】スクロール処理の流れを示すフローチャートである。
【図５】第２実施形態に係る特定領域を示す概念図である。
【図６】第２実施形態に係るスクロール処理の流れを示すフローチャートである。
【図７】第３実施形態に係る特定領域およびモード設定領域を示す概念図である。
【図８】第３実施形態に係るタッチパネル制御処理の流れを示すフローチャートである。
【図９】第４実施形態に係る特定領域および切替アイコンを示す概念図である。
【図１０】第４実施形態に係るタッチパネル制御処理の流れを示すフローチャートである。
【発明を実施するための形態】
【００１５】
以下では、本発明の実施の形態について、添付図面を参照しつつ詳細に説明する。
【００１６】
＜外観構成＞
【００１７】
スマートフォンやタブレット型端末などの携帯端末１は、図１に示されるように、筐体１０およびタッチパネル２０を備えている。
【００１８】
筐体１０は、正面視において横方向の寸法（図１における左右方向）が縦方向（図１における上下方向）の寸法よりも小さい略矩形状に形成されている。
【００１９】
タッチパネル２０は、筐体１０の正面に視認および操作可能に配置されている。タッチパネル２０の周囲は、筐体１０の周縁部に取り囲まれている。
【００２０】
＜電気的構成＞
【００２１】
タッチパネル２０は、たとえば、静電容量方式のタッチパネルである。タッチパネル２０は、図２に示されるように、表示部２１および出力部２２を備えている。
【００２２】
表示部２１は、たとえば、液晶表示器からなる。
【００２３】
出力部２２は、表示部２１上（正面側）に重ねて設けられている。出力部２２は、たとえば、絶縁体フィルムおよび電極層を備えている。タッチパネル２０の表面に指などの電気を通す物体が接近または接触すると、物体付近の電極の静電容量が変化する。出力部２２は、静電容量の変化に基づいて、その物体が接近または接触した位置を検出し、その位置に応じた信号を出力する。
【００２４】
なお、以下では、タッチパネル２０が指で操作される場合を例にとる。また、タッチパネル２０の操作方法の１つであるスワイプ操作には、タッチパネル２０上において、指などの物体がタッチパネル２０の表面に触れたままで移動する操作はもちろん、指などの物体をタッチパネル２０の表面に触れずに接近させたままで移動する操作も含まれる。以下では、スワイプ操作による物体の移動を単に「スワイプ」という。
【００２５】
また、携帯端末１は、指接触センサ３０（側面出力部の一例）および制御部４０を備えている。
【００２６】
指接触センサ３０には、たとえば、静電センサが採用されている。指接触センサ３０は、図１に示されるように、携帯端末１の横方向の両側面の略全域にわたって検出領域３１を有している。検出領域３１は、親指検出領域６４および中指検出領域６６に分かれている。親指検出領域６４は、筐体１０の縦方向に延在する両側面において、各側面の上端から所定長さだけ離れた位置７０より上側の領域である。中指検出領域６６は、筐体１０の縦方向に延在する両側面において、親指検出領域６４以外の領域、つまり位置７０より下側の領域である。指接触センサ３０は、指接触センサ３０の検出領域３１における指の接触を検出し、その指の位置に応じた信号を出力する。
【００２７】
制御部４０は、ＡＳＩＣ（Application Specific Integrated Circuit）５０、ＲＯＭ５１およびＲＡＭ５２などを備えている。
【００２８】
ＡＳＩＣ５０は、ＣＰＵ５３を内蔵している。ＡＳＩＣ５０には、タッチパネル２０の出力部２０および指接触センサ３０からそれぞれ出力される信号が入力される。ＣＰＵ５３は、ＡＳＩＣ５０に入力される情報に基づいて、各種の処理のためのプログラムを実行することにより、表示部２１を制御する。
【００２９】
ＲＯＭ５１には、ＣＰＵ５３によって実行されるプログラム及び各種のデータなどが記憶されている。
【００３０】
ＲＡＭ５２は、ＣＰＵ５３がプログラムを実行する際のワークエリアとして使用される。
【００３１】
＜タッチパネル制御処理＞
【００３２】
携帯端末１の電源が投入されている間、ＣＰＵ５３は、図３に示されるタッチパネル制御処理を実行する。
【００３３】
タッチパネル制御処理では、ＣＰＵ５３は、表示部２１に画像を表示させる（Ｓ１）。表示部２１に表示される画像は、多種多様であり、たとえば、ホーム画像、ウェブページ画像、アプリケーションによる画像などが挙げられる。
【００３４】
そして、ＣＰＵ５３は、部分スクロール画像６１（スクロール画像の一例）が表示部２１に表示されているか否かを判断する（Ｓ２）。部分スクロール画像６１は、図１に示されるように、表示部２１の全体に表示されている全体画像６２（非スクロール画像の一例）の一部分である。部分スクロール画像６１は、スワイプによって、所定の方向に移動（スクロール）される。図１に示される例では、部分スクロール画像６１は、スワイプによって、横方向にスクロールされる。また、全体画像６２は、縦方向のスワイプによって、縦方向にスクロール可能である。全体画像６２が縦方向にスクロールされることにより、部分スクロール画像６１が表示される場合（表示部２１の表示画面内に配置される場合）と表示されない場合（表示部２１の表示画面外に配置される場合）とが生じる。
【００３５】
部分スクロール画像６１が表示されている場合（Ｓ２：ＹＥＳ）、ＣＰＵ５３は、指接触センサ３０により親指検出領域６４における親指Ｆ１の接触が検出されているか否かを判断する（Ｓ３）。
【００３６】
親指検出領域６４における親指Ｆ１の接触が検出されていない場合（Ｓ３：ＮＯ）、ＣＰＵ５３は、指接触センサ３０の出力信号から中指Ｆ２の位置を特定（判断）する（Ｓ４）。具体的には、ＣＰＵ５３は、指接触センサ３０から出力される信号に基づいて、左右の各中指検出領域６６に複数の指が接触しているか否かを判断する。そして、ＣＰＵ５３は、中指検出領域６６に接触している複数の指のうちで最も上端側に接触している指の位置を中指Ｆ２の位置６５として特定する。
【００３７】
次に、ＣＰＵ５３は、出力部２２に特定領域６７を設定する（Ｓ５）。親指検出領域６４における親指Ｆ１の接触が検出されていない場合、親指Ｆ１でタッチパネル２０が操作される可能性が高い。そこで、特定領域６７は、たとえば、図１に示されるように、特定された中指Ｆ２の位置６５と横方向に隣り合い、出力部２２の横方向の略全域にわたる矩形状の領域に設定される。特定領域６７の縦方向の位置および大きさは、中指Ｆ２の位置６５を中心とした所定幅である。
【００３８】
そして、ＣＰＵ５３は、特定領域６７を親指Ｆ１などの指がスワイプしたか否かを判断する（Ｓ６）。
【００３９】
特定領域６７を指がスワイプした場合（Ｓ６：ＹＥＳ）、ＣＰＵ５３は、スクロール処理を実行して（Ｓ７）、タッチパネル制御処理を終了する。スクロール処理については、後述する。
【００４０】
一方、部分スクロール画像６１が表示されていない場合（Ｓ２：ＮＯ）、全体画像６２の縦方向へのスクロールのみが可能である。この縦方向へのスクロールは、携帯端末１を保持した手の親指Ｆ１の縦方向のスワイプによる場合であっても容易に行うことができる。そのため、ＣＰＵ５３は、通常タッチ操作処理を実行して（Ｓ８）、タッチパネル制御処理を終了する。
【００４１】
また、親指Ｆ１の接触が検出されている場合（Ｓ３：ＹＥＳ）、携帯端末１を保持した手の親指Ｆ１がスワイプすることはない。そのため、ＣＰＵ５３は、通常タッチ操作処理を実行して（Ｓ８）、タッチパネル制御処理を終了する。
【００４２】
特定領域におけるスワイプが検出されない場合も（Ｓ６：ＮＯ）、ＣＰＵ５３は、通常タッチ操作処理を実行して（Ｓ８）、タッチパネル制御処理を終了する。
【００４３】
通常タッチ操作処理は、タッチパネル２０の操作に対して一般に行われる処理である。たとえば、全体画像６２または部分スクロール画像６１上で指がスワイプされた場合、ＣＰＵ５３は、スワイプによる指の移動量および移動速度のスワイプ方向の成分をスワイプ成分として取得する。そして、ＣＰＵ５３は、表示部２１を制御して、その取得されたスワイプ成分に応じた移動量および移動速度にて、全体画像６２または部分スクロール画像６１を縦方向にスクロールさせる。
【００４４】
＜スクロール処理＞
【００４５】
図３のステップＳ７で実行されるスクロール処理の流れは、図４に示されている。
【００４６】
スクロール処理では、ＣＰＵ５３は、特定領域６７におけるスワイプによる指の移動量および移動速度について、部分スクロール画像６１のスクロール方向である横方向の各成分をスワイプ成分として取得する（Ｓ７１）。
【００４７】
そして、ＣＰＵ５３は、取得したスワイプ成分を所定の倍率で増幅する（Ｓ７２）。具体的には、取得した指の移動量および移動速度の各成分に所定の倍率を乗じる。
【００４８】
そして、ＣＰＵ５３は、表示部２１を制御して、増幅されたスワイプ成分に応じた移動量および移動速度にて、部分スクロール画像６１をスクロール方向にスクロールさせる（Ｓ７３）。
【００４９】
＜作用効果＞
【００５０】
以上のように、タッチパネル２０の表示部２１に部分スクロール画像６１が表示され、かつ、指接触センサ３０の親指検出領域６４に親指Ｆ１が接触していない場合に、表示部２１上における一部の領域が特定領域６７に設定される。そして、特定領域６７を指がスワイプするスワイプ動作が行われた場合に、特定領域６７が設定されていない状態でのスワイプ動作における横方向の移動量よりも特定領域６７を指がスワイプするスワイプ動作における横方向の移動量の方が大きいスクロール量で、部分スクロール画像６１がスクロールされる。そのため、ユーザが携帯端末１を保持している手の親指Ｆ１を横方向にスワイプさせにくくても、特定領域６７で親指Ｆ１をスワイプさせることにより、部分スクロール画像６１を良好にスクロールさせることができる。
【００５１】
ユーザが携帯端末１を保持する手と異なる側の手でタッチパネル２０を操作する場合、携帯端末１を保持する手の親指Ｆ１は、携帯端末１の側面にある指接触センサ３０の親指検出領域６４に接触しやすい。
【００５２】
一方、ユーザが携帯端末１を保持する手の親指Ｆ１でタッチパネル２０を操作する場合には、携帯端末１を保持する手の親指Ｆ１は、図１に示されるように、携帯端末１の側面に接触しない。
【００５３】
したがって、指接触センサ３０の親指検出領域６４に指が接触していないことを検出することにより、携帯端末１を保持する手の親指Ｆ１を使用したタッチパネル２０の操作に適したスクロールを行うための処理と、携帯端末１を保持する手と異なる側の手を使用したタッチパネル２０の操作に適したスクロールを行うための処理とを、ユーザが意識することなく、切り替えることができる。
【００５４】
ユーザが携帯端末１を片手で保持する場合、携帯端末１における親指Ｆ１と反対側の側面に接触している指のうちで、中指Ｆ２が最も上端側に位置する状態で、携帯端末が保持されやすい。この状態で、携帯端末１を保持する手の親指Ｆ１でタッチパネル２０のスワイプが横方向に行われるとき、縦方向における中指Ｆ２の指先の位置に隣り合い、タッチパネル２０内で横方向に延在する領域が親指Ｆ１をスワイプさせやすい領域となる。
【００５５】
特定領域６７の設定の際には、指接触センサ３０から出力される信号に基づいて、中指検出領域６６に接触している指のうちで最も上端側に接触している位置が特定される。そして、特定領域６７は、その特定された位置と横方向に隣り合う位置を少なくとも含む領域に設定される。その結果、ユーザが特に設定を行うことなく、携帯端末１を保持した側の手の親指Ｆ１をスワイプさせやすい領域を特定領域６７に設定することができる。
【００５６】
＜第２実施形態＞
【００５７】
図１に示される特定領域６７に代えて、図５に示される領域に特定領域６７が設定されてもよい。図５に示される特定領域６７の設定に際して、ＣＰＵ５３は、指接触センサ３０から出力される信号に基づいて、左右の各中指検出領域６６に複数の指が接触しているか否かを判断する。また、ＣＰＵ５３は、中指検出領域６６に接触している複数の指のうちで最も上端側に接触している位置を中指Ｆ２の位置６５として特定する。そして、ＣＰＵ５３は、複数の指が接触している中指検出領域６６と反対側（図５においては、左側）の携帯端末１の側面と横方向に隣接する縦方向に長い矩形状の領域を特定領域６７に設定する。特定領域６７の縦方向の位置および大きさは、たとえば、中指Ｆ２の位置６５から下側に所定長さの範囲であって、部分スクロール画像６１を除く部分である。
【００５８】
この場合、図５に示されるスクロール処理に代えて、図６に示されるスクロール処理が実行される。図６に示されるスクロール処理では、ＣＰＵ５３は、縦方向のスワイプが検出されると、部分スクロール画像６１を横方向にスクロールさせる制御を行う。
【００５９】
スクロール処理では、ＣＰＵ５３は、特定領域６７におけるスワイプによる指の移動量および移動速度について、部分スクロール画像６１のスクロール方向（横方向）と直交する縦方向の各成分をスワイプ成分として取得する（Ｓ２０１）。
【００６０】
そして、ＣＰＵ５３は、表示部２１を制御して、取得したスワイプ成分（縦方向の成分）に応じた移動量および移動速度にて、部分スクロール画像６１をスクロール方向（横方向）にスクロールさせる（Ｓ２０２）。
【００６１】
＜作用効果＞
【００６２】
このように、タッチパネル２０の表示部２１に部分スクロール画像６１が表示されている場合に、表示部２１上において、親指Ｆ１が検出された側の携帯端末１の側面と横方向に隣接する縦方向に長い矩形状の領域が特定領域６７に設定される。そして、特定領域６７を縦方向にスワイプするスワイプ動作が行われた場合に、スワイプによる指の移動量および移動速度の縦方向の成分に応じたスクロール量で、部分スクロール画像６１が横方向にスクロールされる。ユーザが携帯端末１を保持している手の親指Ｆ１を横方向にスワイプさせにくくても、縦方向にはその親指Ｆ１をスワイプさせやすいので、特定領域６７で親指Ｆ１を縦方向にスワイプさせることにより、部分スクロール画像６１を良好にスクロールさせることができる。
【００６３】
特定領域６７は、表示部２１上における部分スクロール画像６１以外の領域の一部である。そのため、部分スクロール画像６１の位置が携帯端末１を保持している手の親指Ｆ１が届きにくい位置であっても、特定領域６７で親指Ｆ１をスワイプさせることにより、部分スクロール画像６１を容易にスクロールさせることができる。また、特定領域６７は、部分スクロール画像６１と重複しない。よって、特定領域６７で親指Ｆ１をスワイプさせた場合、部分スクロール画像６１上で親指Ｆ１をスワイプさせた場合と比較して、同じスワイプ動作により、部分スクロール画像６１を大きくスクロールさせることができる。逆に、部分スクロール画像６１上で親指Ｆ１をスワイプさせた場合には、特定領域６７で親指Ｆ１をスワイプさせた場合と比較して、同じスワイプ動作による部分スクロール画像６１のスクロール量が小さい。そのため、部分スクロール画像６１上で親指Ｆ１をスワイプさせることによって、部分スクロール画像６１の位置を微調整することができる。
【００６４】
＜第３実施形態＞
【００６５】
図７に示されるように、部分スクロール画像６１に隣接するモード設定領域６８（所定領域の一例）に指が接近または接触されたことに対して、特定領域６７が設定されてもよい。
【００６６】
この場合、図３に示されるタッチパネル制御処理に代えて、図８に示されるタッチパネル制御処理が実行される。図８において、図３に示される各ステップに相当するステップには、それらのステップ番号が付されている。また、以下では、その同一のステップ番号が付されたステップについての説明を省略する。
【００６７】
タッチパネル制御処理では、部分スクロール画像６１が表示されている場合（Ｓ２：ＹＥＳ）、ＣＰＵ５３は、指接触センサ３０の出力信号から中指Ｆ２の位置を特定（判断）する（Ｓ４）。
【００６８】
次に、ＣＰＵ５３は、モード設定領域６８を設定する（Ｓ３０１）。モード設定領域６８は、たとえば、図７に網掛け領域として示されるように、中指Ｆ２が検出された側と反対側（図７においては、左側）の携帯端末１の側面と横方向に隣り合い、部分スクロール画像６１に隣接する縦方向に長い矩形状の領域に設定される。モード設定領域６８の縦方向の位置および大きさは、中指Ｆ２の位置６５から下側に所定長さの範囲で、部分スクロール画像６１を除く部分である。
【００６９】
次に、ＣＰＵ５３は、モード設定領域６８に親指Ｆ１などの指が接近または接触されたか否かを判断する（Ｓ３０２）。
【００７０】
モード設定領域６８に指が接近または接触された場合（Ｓ３０２：ＹＥＳ）、ＣＰＵ５３は、特定領域６７を設定する（Ｓ５）。特定領域６７は、モード設定領域６８と同じ領域に設定される。
【００７１】
そして、ＣＰＵ５３は、特定領域６７を親指Ｆ１などの指がスワイプしたか否かを判断する（Ｓ６）。このスワイプは、たとえば、モード設定領域６８への指の接近または接触の動作に引き続く動作である。
【００７２】
特定領域６７を指がスワイプした場合（Ｓ６：ＹＥＳ）、ＣＰＵ５３は、スクロール処理を実行する（Ｓ７）。スクロール処理は、第２実施形態におけるスクロール処理と同一の処理である。
【００７３】
その後、ＣＰＵ５３は、特定領域６７を解除して（Ｓ３０３）、タッチパネル制御処理を終了する。
【００７４】
一方、モード設定領域６８を指がタッチしていない場合（Ｓ３０２：ＮＯ）、ＣＰＵ５３は、通常タッチ操作処理を実行して（Ｓ８）、タッチパネル制御処理を終了する。
【００７５】
＜作用効果＞
【００７６】
表示部２１に部分スクロール画像６１が表示されている場合に、指などがモード設定領域６８に接近または接触されると、特定領域６７が設定される。特定領域６７は、モード設定領域６８を少なくとも含む領域に設定される。
【００７７】
モード設定領域６８に指が接近または接触された場合、特定領域６７で指をスワイプさせようとしていると推測される。したがって、モード設定領域６８に指が接近または接触されたときに、その指の位置が含まれる領域が特定領域６７に設定されることにより、モード設定領域６８への指の接近または接触の動作に引き続くスワイプ動作により、部分スクロール画像６１の良好なスクロールを達成することができる。
【００７８】
＜第４実施形態＞
【００７９】
たとえば、携帯端末１が指接触センサ３０を備えていない場合などには、図９に示されるように、表示部２１に切替アイコン６９が表示されて、表示された切替アイコン６９が指でタップされた場合に、特定領域６７が設定されてもよい。
【００８０】
この場合、図３に示されるタッチパネル制御処理に代えて、図１０に示されるタッチパネル制御処理が実行される。図１０において、図３に示される各ステップに相当するステップには、それらのステップ番号が付されている。また、以下では、その同一のステップ番号が付されたステップについての説明を省略する。
【００８１】
図１０に示されるタッチパネル制御処理では、部分スクロール画像６１が表示されている場合（Ｓ２：ＹＥＳ）、ＣＰＵ５３は、表示部２１を制御して図９に示されるように、表示部２１の表示画面に切替アイコン６９を表示させる（Ｓ４０１）。切替アイコン６９は、たとえば、タッチパネル２０の横方向の中央で、かつ、タッチパネル２０の縦方向の中央より下側に表示される。
【００８２】
切替アイコン６９は、ホールド状態とリリース状態とを切り替えるためのアイコンである。ホールド状態は、全体画像６２の縦方向へのスクロール（以下、「全画像スクロール」という。）が禁止された状態である。リリース状態は、全画像スクロールの禁止が解除された（可能な）状態である。初期状態は、リリース状態である。リリース状態では、切替アイコン６９に「ＨＯＬＤ」の文字が表示される。ホールド状態では、切替アイコンに「ＲＥＬＥＡＳＥ」の文字が表示される。すなわち、「ＨＯＬＤ」の文字が表示されている切替アイコン６９がタップされると、リリース状態からホールド状態に切り替わり、「ＲＥＬＥＡＳＥ」の文字が表示されている切替アイコン６９がタップされると、ホールド状態からリリース状態に切り替わる。
【００８３】
次に、ＣＰＵ５３は、切替アイコン６９を親指Ｆ１などの指がタップしたか否かを判断する（Ｓ４０２）。
【００８４】
切替アイコン６９を指がタップした場合（Ｓ４０２：ＹＥＳ）、ＣＰＵ５３は、ホールド状態およびリリース状態のいずれに切り替えられたかを判断する（Ｓ４０３）。たとえば、ホールド状態またはリリース状態であることを示す値がＲＡＭ５２に記憶される。そして、その値が参照されることにより、ホールド状態およびリリース状態のいずれに切り替えられたかが判断される。
【００８５】
切替アイコン６９のタップにより、ホールド状態に切り替えられた場合（Ｓ４０３：ＹＥＳ）、ＣＰＵ５３は、特定領域６７を設定する（Ｓ５）。特定領域６７は、たとえば、図９に示されるように、携帯端末１の横方向の各側面と横方向に隣接する領域の２か所に設定される。各特定領域は、縦方向に長い矩形状である。
【００８６】
また、ＣＰＵ５３は、縦方向への全画像スクロールを禁止する（Ｓ４０４）。この後、スワイプが検出されても、ＣＰＵ５３は、縦方向に全画像スクロールさせる制御を実行しない。
【００８７】
そして、ＣＰＵ５３は、特定領域６７を親指Ｆ１などの指がスワイプしたか否かを判断する（Ｓ６）。
【００８８】
特定領域６７を指がスワイプした場合（Ｓ６：ＹＥＳ）、ＣＰＵ５３は、図６に示されるスクロール処理を実行して（Ｓ７）、タッチパネル制御処理を終了する。図６に示されるスクロール処理では、ＣＰＵ５３は、縦方向のスワイプが検出されると、部分スクロール画像６１を横方向にスクロールさせる制御を行う。
【００８９】
一方、切替アイコン６９のタップにより、リリース状態に切り替えられた場合（Ｓ４０３：ＮＯ）、ＣＰＵ５３は、出力部２２に設定された特定領域６７を解除する（Ｓ４０５）。
【００９０】
また、ＣＰＵ５３は、縦方向への全画面スクロールの禁止を解除する（Ｓ４０６）。
【００９１】
そして、ＣＰＵ５３は、通常タッチ操作処理を実行して（Ｓ８）、タッチパネル制御処理を終了する。
【００９２】
＜作用効果＞
【００９３】
表示部２１に部分スクロール画像６１が表示されている場合に、切替アイコン６９が表示部２１上に表示される。そして、指で切替アイコン６９がタップされると、特定領域６７が設定される。これにより、ユーザは、切替アイコン６９のタップという簡単な操作により、特定領域６７を容易に設定することができる。
【００９４】
また、切替アイコン６９のタップという簡単な操作により、縦方向への全画像スクロールの禁止およびその解除を切り替えることができる。
【００９５】
さらに、特定領域６７が表示部２１における横方向の両側端部に設定されるので、携帯端末１を保持する手でタッチパネル２０を操作する場合、左右どちらの手で携帯端末１を保持した場合でも、親指Ｆ１が容易に届く位置に特定領域６７が配置される。そのため、左右どちらの手で携帯端末１を保持した場合でも、携帯端末１を保持している手の親指Ｆ１を特定領域６７で容易にスワイプさせることができる。
【００９６】
＜変形例＞
【００９７】
以上、本発明の実施形態について説明したが、本発明は、他の形態で実施することもできる。
【００９８】
たとえば、第２実施形態において、ＣＰＵ５３は、指接触センサ３０から出力される信号に基づいて、親指Ｆ１の腹の下端の位置を特定し、その特定した位置を特定領域６７の縦方向の下端位置に決定してもよい。これにより、特定領域６７の縦方向の下端位置を適切に決定することができる。
【００９９】
また、前述の実施形態では、スワイプの有効許容角度は設定されなかったが、有効許容角度が設定されてもよい。たとえば、第１実施形態において、特定領域６７が設定されていない状態でのスワイプ動作における有効許容角度を所定角度、たとえば±３０°に設定する。この場合、横方向のスワイプについては、横方向に対して±３０°の範囲でスワイプされた場合のみ、スワイプが有効とされ、スワイプの横方向の成分が取得される。これに対し、特定領域６７を指がスワイプするスワイプ動作における有効許容角度は、特定領域６７が設定されていない状態でのスワイプ動作の場合より大きな所定角度、たとえば±４５°に設定する。これにより、横方向に対して±４５°の範囲でのスワイプが有効とされ、スワイプの横方向の成分が取得される。そのため、たとえば、ユーザが携帯端末１を保持する手の親指Ｆ１でタッチパネル２０を操作する場合に、その親指Ｆ１をスワイプさせにくいために、特定領域６７におけるスワイプの方向が横方向から大きくずれても、そのスワイプにより部分スクロール画像６１をスワイプさせることができる。なお、有効許容角度は、携帯端末１の設定によってユーザが変更できることが好ましい。
【０１００】
その他、前述の構成には、特許請求の範囲に記載された事項の範囲で種々の設計変更を施すことが可能である。
【符号の説明】
【０１０１】
１    携帯端末
２０  タッチパネル
２１  表示部
２２  出力部
３０  指接触センサ
４０  制御部
５３  ＣＰＵ
６１  部分スクロール画像
６２  全体画像
６７  特定領域
６８  モード設定領域
６９  切替アイコン
Ｆ１  親指
【図１】
0006492910.tif 000002
【図２】
0006492910.tif 000003
【図３】
0006492910.tif 000004
【図４】
0006492910.tif 000005
【図５】
0006492910.tif 000006
【図６】
0006492910.tif 000007
【図７】
0006492910.tif 000008
【図８】
0006492910.tif 000009
【図９】
0006492910.tif 000010
【図１０】
0006492910.tif 000011